(57)【要約】【課題】データ復旧を防止することができ、セキュリティの高いデータ消去装置を提供すること。【解決手段】読取可能なよう一度のみデータの書込みが可能であり、記録対象データが格納されるデータ格納領域と、メディア上の格納データを管理するデータが記録される管理領域と、を備えたライトワンスメディアのデータを消去する方法であって、データ格納領域に対するデータ消去を行った後に、管理領域に対するデータ消去を行う。【選択図】図１
2008084367.tif 000002
【特許請求の範囲】
【請求項１】
読取可能なよう一度のみデータの書込みが可能であり、記録対象データが格納されるデータ格納領域と、メディア上の格納データを管理するデータが記録される管理領域と、を備えたライトワンスメディアのデータを消去する方法であって、
前記データ格納領域に対するデータ消去を行った後に、前記管理領域に対するデータ消去を行う、
ことを特徴とするメディアデータ消去方法。
【請求項２】
前記データ格納領域に対するデータ消去は、当該データ格納領域の少なくとも一部の領域を２重に書込まれた状態にすることにより行うと共に、
前記管理領域に対するデータ消去は、当該管理領域の全ての領域を２重に書き込まれた状態にすることにより行う、
ことを特徴とする請求項１記載のメディアデータ消去方法。
【請求項３】
前記データ格納領域に対するデータ消去は、当該データ格納領域の全ての領域を２重に書込まれた状態にすることにより行う、
ことを特徴とする請求項１記載のメディアデータ消去方法。
【請求項４】
前記データ格納領域に対するデータ消去は、使用領域に対しては上書きし、未使用領域に対しては２重に書き込むことにより行う、ことを特徴とする請求項２又は３記載のメディアデータ消去方法。
【請求項５】
前記データ格納領域の未使用領域に対する２重の書込みは、それぞれ異なる書込みパターンにて行う、ことを特徴とする請求項４記載のメディアデータ消去方法。
【請求項６】
前記データ消去の前後に、当該データ消去を行う領域における再生信号波形をそれぞれ読み取り、当該読みデータ消去前後における再生信号波形をそれぞれ記憶する、ことを特徴とする請求項２，３，４又は５記載のメディアデータ消去方法。
【請求項７】
前記データ消去後の領域における再生信号波形の読み取りを行う読取手段の読取動作制御を、当該領域に対するデータ消去時の消去動作制御に基づいて行う、ことを特徴とする請求項６記載のメディアデータ消去方法。
【請求項８】
前記データ消去後の領域における再生信号波形の読み取りを行う読取手段の読取動作制御を、当該領域に対するデータ消去時の消去動作制御及びデータ消去前の再生信号波形読取動作制御に基づいて行う、ことを特徴とする請求項６記載のメディアデータ消去方法。
【請求項９】
読取可能なよう一度のみデータの書込みが可能であり、記録対象データが格納されるデータ格納領域と、メディア上のデータを管理するデータが記録される管理領域と、を備えたライトワンスメディアを格納するメディア格納手段と、
このメディアに対してレーザビームによる書込みを行うレーザ照射手段と、
装置自体の動作を制御する制御手段と、を備えたメディアデータ消去装置であって、
前記制御手段は、前記データ格納領域の少なくとも一部の領域を前記レーザ照射手段にて２重に書き込まれた状態にしてデータ消去を行うデータ格納領域消去手段と、前記データ格納領域のデータ消去後に前記管理領域を２重に書き込まれた状態にしてデータ消去を行う管理領域消去手段と、を備えた、
ことを特徴とするメディアデータ消去装置。
【請求項１０】
前記データ格納領域消去手段及び前記管理領域消去手段にて前記データ消去を行う領域に対してレーザビームを照射して、データ消去の前後における再生信号波形をそれぞれ読み取る再生信号波形読取手段と、
読み取った再生信号波形を記憶する再生信号波形記憶手段と、
を備えたことを特徴とする請求項９記載のメディアデータ消去装置。
【請求項１１】
前記再生信号波形読取手段は、前記データ消去前の領域の再生信号波形を読み取る第一の再生信号波形読取手段と、前記データ消去後の領域の再生信号波形を読み取る第二の再生信号波形読取手段と、を備えたことを特徴とする請求項１０記載のメディアデータ消去装置。
【請求項１２】
前記制御手段が、前記第二の再生信号波形読取手段の読取動作制御を、前記第一の再生信号波形読取手段及び／又は前記レーザ照射手段の動作制御に基づいて制御する再生信号波形読取制御手段を備えた、ことを特徴とする請求項１１記載のメディアデータ消去装置。
【請求項１３】
読取可能なよう一度のみデータの書込みが可能であり、記録対象データが格納されるデータ格納領域と、メディア上のデータを管理するデータが記録される管理領域と、を備えたライトワンスメディアを格納するメディア格納手段と、
このメディアに対してレーザビームによる書込みを行うレーザ照射手段と、
を備えたメディアデータ消去装置の動作を制御する制御装置に、
前記データ格納領域の少なくとも一部の領域を前記レーザ照射手段にて２重に書き込まれた状態にしてデータ消去を行うデータ格納領域消去手段と、
前記データ格納領域のデータ消去後に前記管理領域を２重に書き込まれた状態にしてデータ消去を行う管理領域消去手段と、
を実現させるためのプログラム。
【請求項１４】
前記メディアデータ消去装置が、前記データ格納領域消去手段及び前記管理領域消去手段のデータ消去を行う領域に対してレーザビームを照射してデータ消去の前後における再生信号波形をそれぞれ読み取る再生信号波形読取手段と、読み取った再生信号波形を記憶する再生信号波形記憶手段と、を備えると共に、前記再生信号波形読取手段は、前記データ消去前の領域の再生信号波形を読み取る第一の再生信号波形読取手段と、前記データ消去後の領域の再生信号波形を読み取る第二の再生信号波形読取手段と、を備えている場合に、
前記制御装置に、前記第二の再生信号読取手段の読取動作制御を、前記第一の再生信号波形読取手段及び／又は前記レーザ照射手段の動作制御に基づいて行う再生信号波形読取制御手段、
を実現させるための請求項１３記載のプログラム。
【発明の詳細な説明】
【技術分野】
【０００１】
本発明は、メディアデータ消去方法にかかり、特に、ライトワンスメディアに記録されたデータを消去する方法に関する。また、メディアデータ消去装置に関する。
【背景技術】
【０００２】
従来、ＣＤ−ＲやＤＶＤ−Ｒ、さらには、次世代のＢＤ−ＲやＨＤ  ＤＶＤ−Ｒ等のライトワンスメディアのデータ消去は、カッター等で記録層を傷つける、又は、シュレッダー等によりメディアを裁断することによる方法があった。
【０００３】
また、別の方法として、下記特許文献１，２に示すように、レーザを出力した状態でレーザ出力部を移動させることによる簡易上書き、ドライブ側の設定変更並びにホストコンピュータからのコマンド発行による書き込み領域への上書き等の方法がある。
【０００４】
【特許文献１】特開２００４−２８０９９１号公報
【特許文献２】特開２００６−４８７６３号公報
【発明の開示】
【発明が解決しようとする課題】
【０００５】
しかしながら、上述したメディアからデータを消去する方法では、以下のような不都合があった。まず、メディアを裁断する方法では、記録層で使われている金属片や記録層の色素（含む有害物質）が飛散し、環境や人体に影響を与える可能性があるという問題点があった。また、傷つけや裁断をおこなった記録層をつなぎ合わせることによりデータ部を読みとることが出来るという、セキュリティ上の問題点があった。
【０００６】
また、上書きによる方法では、停電等により上書きが中断された場合に、データを完全に消去出来ない又は書き込み領域情報が分かるため、データの一部を復旧できる可能性があるという、セキュリティ上の問題点があった。
【０００７】
このため、本発明では、上記従来例の有する不都合を改善し、特に、データ復旧を防止することができ、セキュリティの高いデータ消去装置を提供することをその目的とする。
【課題を解決するための手段】
【０００８】
そこで、本発明の一形態であるメディアデータ消去方法では、
読取可能なよう一度のみデータの書込みが可能であり、記録対象データが格納されるデータ格納領域と、メディア上の格納データを管理するデータが記録される管理領域と、を備えたライトワンスメディアのデータを消去する方法であって、
データ格納領域に対するデータ消去を行った後に、管理領域に対するデータ消去を行う、
ことを特徴としている。
【０００９】
上記発明によると、管理領域のデータ消去前にデータ格納領域からデータ消去が行われるため、停電等によりデータ格納領域のデータ消去が中断された場合であっても、メディア管理領域を読み取ることができ、メディアの認識が可能であることから、当該メディアに対して継続してデータ消去を実施することが可能となる。従って、メディアに対するデータ消去の確実性の向上を図ることができ、セキュリティの向上を図ることができる。
【００１０】
そして、上述したデータ格納領域に対するデータ消去は、当該データ格納領域の少なくとも一部の領域を２重に書込まれた状態にすることにより行うと共に、管理領域に対するデータ消去は、当該管理領域の全ての領域を２重に書き込まれた状態にすることにより行う、ことを特徴としている。さらに、データ格納領域に対するデータ消去は、当該データ格納領域の全ての領域を２重に書込まれた状態にすることにより行う、ことを特徴としている。
【００１１】
これにより、各領域のデータ消去を、データの上書きといった簡易な方法で実施することができる。特に、データ格納領域のデータ消去は、一部の領域を２重書きすることで短時間にデータ消去を実現でき、あるいは、全ての領域を２重書きすることでデータの読み取りをさらに困難にしてさらなるセキュリティの向上を図ることができる。
【００１２】
また、データ格納領域に対するデータ消去は、使用領域に対しては上書きし、未使用領域に対しては２重に書き込むことにより行う、ことを特徴としている。このとき、データ格納領域の未使用領域に対する２重の書込みは、それぞれ異なる書込みパターンにて行う、ことを特徴としている。これにより、未使用領域からデータ消去用の上書きパターンを読み取ることが不可能となるため、かかる上書きパターンを利用して使用領域のデータが読み取られることを抑制することができ、さらなるセキュリティの向上を図ることができる。
【００１３】
また、データ消去の前後に、当該データ消去を行う領域における再生信号波形をそれぞれ読み取り、当該読みデータ消去前後における再生信号波形をそれぞれ記憶する、ことを特徴としている。これにより、データ消去を行った領域のデータ消去前後における各再生信号波形を参照することができ、データの消去を容易に確認することができる。
【００１４】
また、データ消去後の領域における再生信号波形の読み取りを行う読取手段の読取動作制御を、当該領域に対するデータ消去時の消去動作制御に基づいて行う、ことを特徴としている。あるいは、データ消去後の領域における再生信号波形の読み取りを行う読取手段の読取動作制御を、当該領域に対するデータ消去時の消去動作制御及びデータ消去前の再生信号波形読取動作制御に基づいて行う、ことを特徴としている。これにより、データが消去された後の領域では、当該領域に対する再生信号波形の読取動作制御が困難であるが、消去前の再生信号波形読取動作制御やデータ消去時の動作制御を参照することで、その制御を容易に実現でき、より正確なデータ波形を読み取ることができる。
【００１５】
また、本発明の他の形態であるメディアデータ読取装置は、
読取可能なよう一度のみデータの書込みが可能であり、記録対象データが格納されるデータ格納領域と、メディア上のデータを管理するデータが記録される管理領域と、を備えたライトワンスメディアを格納するメディア格納手段と、
このメディアに対してレーザビームによる書込みを行うレーザ照射手段と、
装置自体の動作を制御する制御手段と、を備えたメディアデータ消去装置であって、
制御手段は、データ格納領域の少なくとも一部の領域をレーザ照射手段にて２重に書き込まれた状態にしてデータ消去を行うデータ格納領域消去手段と、データ格納領域のデータ消去後に管理領域を２重に書き込まれた状態にしてデータ消去を行う管理領域消去手段と、を備えた、
ことを特徴としている。
【００１６】
そして、上記構成に加え、データ格納領域消去手段及び管理領域消去手段にて前記データ消去を行う領域に対してレーザビームを照射して、データ消去の前後における再生信号波形をそれぞれ読み取る再生信号波形読取手段と、読み取った再生信号波形を記憶する再生信号波形記憶手段と、を備えたことを特徴としている。また、再生信号波形読取手段は、データ消去前の領域の再生信号波形を読み取る第一の再生信号波形読取手段と、データ消去後の領域の再生信号波形を読み取る第二の再生信号波形読取手段と、を備えたことを特徴としている。さらに、制御手段が、第二の再生信号波形読取手段の読取動作制御を、第一の再生信号波形読取手段及び／又はレーザ照射手段の動作制御に基づいて制御する再生信号波形読取制御手段を備えた、ことを特徴としている。
【００１７】
また、本発明の他の形態であるプログラムは、
読取可能なよう一度のみデータの書込みが可能であり、記録対象データが格納されるデータ格納領域と、メディア上のデータを管理するデータが記録される管理領域と、を備えたライトワンスメディアを格納するメディア格納手段と、
このメディアに対してレーザビームによる書込みを行うレーザ照射手段と、
を備えたメディアデータ消去装置の動作を制御する制御装置に、
データ格納領域の少なくとも一部の領域をレーザ照射手段にて２重に書き込まれた状態にしてデータ消去を行うデータ格納領域消去手段と、
データ格納領域のデータ消去後に管理領域を２重に書き込まれた状態にしてデータ消去を行う管理領域消去手段と、
を実現させる、ことを特徴としている。
【００１８】
そして、さらに、メディアデータ消去装置が、データ格納領域消去手段及び管理領域消去手段のデータ消去を行う領域に対してレーザビームを照射してデータ消去の前後における再生信号波形をそれぞれ読み取る再生信号波形読取手段と、読み取った再生信号波形を記憶する再生信号波形記憶手段と、を備えると共に、再生信号波形読取手段は、データ消去前の領域の再生信号波形を読み取る第一の再生信号波形読取手段と、データ消去後の領域の再生信号波形を読み取る第二の再生信号波形読取手段と、を備えている場合に、
制御装置に、第二の再生信号読取手段の読取動作制御を、第一の再生信号波形読取手段及び／又はレーザ照射手段の動作制御に基づいて行う再生信号波形読取制御手段、
を実現させる、ことを特徴としている。
【００１９】
上記構成の装置及びプログラムは、上述したメディアデータ消去方法と同様に作用するため、上記本発明の目的を達成することができる。
【発明の効果】
【００２０】
本発明は、以上のように構成され機能するので、これによると、管理領域のデータ消去前にデータ格納領域からデータ消去が行われるため、当該データ格納領域のデータ消去中に消去処理の中断が生じた場合であっても、管理領域を読み取ることができることから、当該メディアに対して継続してデータ消去を実施することが可能となる。従って、メディアに対するデータ消去の確実性の向上を図ることができ、セキュリティの向上を図ることができる、という従来にない優れた効果を有する。
【発明を実施するための最良の形態】
【００２１】
本発明は、ＣＤ−ＲやＤＶＤ−Ｒ，次世代のＢＤ−ＲやＨＤ  ＤＶＤ−Ｒ等のライトワンスメディアのデータ消去方法、及び、データ消去装置に関する発明であり、データ格納領域へデータを上書きすることにより、当該データ格納領域のデータを読み取り不可状態にした後に、管理領域（メディア認識領域）を上書きする、ことに特徴を有する。これにより、データ格納領域への上書き又は２重書きの途中で停電又は何らかの異常等によりドライブが停止した場合に、停電又は何らかの異常等を排除した後に残りの領域を上書き又は２重書きを行うことにより、データへの上書きによるデータ消去をより確実に行うことができる。
【００２２】
また、レーザ発光部を３箇所搭載することにより、データの上書きによる消去と同時に、データ消去前後のデータ波形の読み取りを行うことにも特徴とする。これにより、データ消去を確認することができる。
【実施例１】
【００２３】
本発明の第１の実施例を、図１乃至図１３を参照して説明する。図１乃至図５は、メディアデータ消去装置の構成を説明する図であり、図６乃至図１３は、その動作を説明する図である。
【００２４】
［構成］
本実施例におけるメディアデータ消去装置１０は、読取可能なよう一度のみデータの書込みが可能なＣＤ−ＲやＤＶＤ−Ｒなどのいわゆるライトワンスメディアに記録されたデータを消去するための装置である。なお、ライトワンスメディアには、記録対象データが格納されるデータ格納領域と、メディア上のデータを管理するデータが記録される管理領域と、が形成されている。例えば、図１１等に示すように、データ格納領域はメディアの外周側から内側に向かって形成されており、管理領域はメディアの内周側から外周側に向かって形成されている。なお、メディアの大部分は、データ格納領域である。
【００２５】
そして、メディアデータ消去装置１０は、図１に示すように、外形が直方体形状の筐体にて構成されており、その側面にはメディアを格納するメディア格納部１１１（メディア格納手段）と、このメディア格納部１１１を可動させるメディア排出スイッチ１１４（メディア排出ＳＷ）と、を備えている。また、筐体の上面には、スタートスイッチ１１６（スタートＳＷ）、装置によるデータ消去方法である動作モードを操作者が選択するための動作モード選択スイッチ１１７（動作モード選択ＳＷ）、選択された動作モードを表示する動作モード表示部１１８、装置の状態を表示する状態表示部１２０、が設けられている。以下、図２乃至図５を参照して、メディアデータ消去装置１０の構成について、さらに詳述する。なお、図２は、メディアデータ消去装置１０の内部構成の一部を示す図であり、図３は、メディアデータ消去装置１０の全体構成を示すブロック図である。また、図４は、ＣＰＵ１０２の構成を示す機能ブロック図であり、図５は、動作モードＤＢ１１５に記憶されているデータ内容を示す図である。
【００２６】
図３に示すように、メディアデータ消去装置１０は、メディアを格納し当該メディアに対してデータ消去処理を実行するドライブ部１０１と、上述したスタートＳＷ１１６、動作モード選択ＳＷ１１７、動作モード表示部１１８、状態表示部１２０と、データ波形管理部１１９と、ＣＰＵ１２１と、メモリ１２２と、電源部１２３と、を備えている。
【００２７】
そして、メディアデータ消去装置１０は、ドライブ部１０１内部に装備されドライブ部１０１の制御を行うＣＰＵ１０２と、各動作モードの実行や各スイッチ、表示部等の制御を行う上述したＣＰＵ１２１と、さらには、各制御部１０５，１０６，１１０等と、により動作が制御される。つまり、各ＣＰＵ１０２，１２１と、各制御部１０５，１０６，１１０等とによって、メディアデータ消去装置１０の制御手段が実現されている。なお、各制御部１０５，１０６，１１０等は、専用のＩＣにて構成されていてもよく、あるいは、ＣＰＵに所定のプログラムが組み込まれることによって構成されていてもよい。以下、各構成について詳述する。
【００２８】
スタートＳＷ１１６は、マイクロスイッチ等のスイッチであり、メディアの上書き／２重書き／再上書き等の動作モードを実行する際に使用される。動作モード選択ＳＷ１１７は、マイクロスイッチ等のスイッチであり、動作モードを選択する際に使用される。動作モード表示部１１８は、７セグメントＬＥＤや液晶ディスプレイ等の表示回路であり、動作モードを表示する際に使用される。データ波形管理部１１９は、データ波形情報の格納並びにデータ波形情報の外部出力が可能なＲＡＭやＲＯＭなどの半導体記録部（再生信号波形記憶手段）並びにＲＳ−２３２ＣやＵＳＢ等の外部出力端子部であり、後述するようにドライブ部１０１で読み出されたデータ消去前後のデータ波形情報を格納し、必要に応じて格納されたデータ波形情報を外部へ出力する際に使用される。状態表示部１２０は、７セグメントＬＥＤや液晶ディスプレイ等の表示回路であり、メディアの状態や各動作モードの動作結果を表示する際に使用される。
【００２９】
ＣＰＵ１２１は、マイクロプロセッサ等で構成されている中央処理装置であり、各動作モードの実行や各スイッチ，表示部等の制御を行う。メモリ１２２は、ＣＰＵ１２１が直接読み書きできるＲＡＭやＲＯＭなどの半導体記憶装置であり、メディアの種別／管理領域／使用領域情報等を格納する際に使用される。電源部１２３は、ＡＣの入力からＤＣへ変換するパワーサプライ等であり、ドライブ部１０１並びに各モジュールへ電源を供給する際に使用される。なお、上記各スイッチや表示部の動作を制御するＣＰＵ１２１が有する機能、つまり、当該ＣＰＵ１２１に所定のプログラムが組み込まれることによって実現される処理内容については後述する。
【００３０】
次に、ドライブ部１０１の構成について説明する。ドライブ部１０１は、図３に示すように、ＣＰＵ１０２と、メモリ部１０３と、レーザ発光部１０４と、レーザ制御部１０５と、フォーカス／トラッキング制御部１０６と、光ピックアップ駆動部１０７と、データ波形確認用レーザ発光部１０８と、データ波形確認用レーザ発光部１０９と、レーザ制御部１１０と、メディア格納部１１１と、モータ部１１２と、回転制御部１１３と、メディア排出ＳＷ１１４と、動作モードデータベース１１５（動作モードＤＢ）と、を備えている。以下、各構成について詳述する。
【００３１】
レーザ発光部１０４（レーザ照射手段）は、ＬＤ（レーザーダイオード）並びに出力されるレーザ収束の為のレンズ等であり、位置決め、データの読みとり、上書き、２重書き時に使用される。なお、このレーザ発光部１０４は、図２に示すように、投入されたメディア１００の裏面側に配置されており、その近辺にはメディア書込み前後のデータ波形を読み取るデータ波形確認用レーザ発光部１０８，１０９が２つ設けられている。つまり、それぞれ用途が異なるレーザ発光部１０４，１０８，１０９が３つ近接して設けられている。また、レーザ制御部１０５は、レーザ発光部１０４を制御する制御回路であり、レーザの出力制御やＯＮ／ＯＦＦの制御等を行う際に使用される。
【００３２】
フォーカス／トラッキング制御部１０６は、レーザ発光部１０４，データ波形確認用レーザ発光部１０８並びにデータ波形確認用レーザ発光部１０９から出力されるレーザ光の焦点／位置決め制御回路であり、各動作モード開始前は、レーザ発光部１０４から出力されるレーザの焦点を合わせる並びに光ピックアップ駆動部１０７による光ピックアップの移動とレーザ発光部１０４のレーザの傾きにより指定された領域へ位置決めする際に使用される。また、フォーカス／トラッキング制御部１０６は、後述する管理領域の上書きモード，管理領域並びに一部データ領域の上書きモード，管理領域並びに全データ領域の上書きモードなどの各動作モード実行時に、レーザ発光部１０４とデータ波形確認用レーザ発光部１０８から出力されるレーザの焦点を合わせ、合わせた焦点情報の平均値をデータ波形確認用レーザ発光部１０９の焦点合わせに使用し、各レーザ発光部のレーザ焦点を合わせる。
【００３３】
また、フォーカス／トラッキング制御部１０６は、管理領域の上書きモード，管理領域並びに一部データ領域の上書きモード，管理領域並びに全データ領域の上書きモードなどの各動作モードの実行時に、光ピックアップ駆動部１０７による光ピックアップの移動とレーザ発光部１０４とデータ波形確認用レーザ発光部１０８のレーザの傾きにより指定された領域へ位置決めを行い、位置決め完了時のレーザ発光部１０４とデータ波形確認用レーザ発光部１０８のレーザの傾きの平均値をデータ波形確認用レーザ発光部１０９の傾きに使用し、各レーザ発光部の位置決めを行う。また、フォーカス／トラッキング制御部１０６は、再上書きモードの実行時に、レーザ発光部１０４から出力されるレーザの焦点を合わせ、合わせた焦点情報をデータ波形確認用レーザ発光部１０８とデータ波形確認用レーザ発光部１０９の焦点合わせに使用し、各レーザ発光部のレーザ焦点を合わせる。また、フォーカス／トラッキング制御部１０６は、再上書きモードの実行時に、光ピックアップ駆動部１０７による光ピックアップの移動とレーザ発光部１０４のレーザの傾きにより指定された領域へ位置決めを行い、位置決め完了時のレーザ発光部１０４のレーザの傾き値をデータ波形確認用レーザ発光部１０８とデータ波形確認用レーザ発光部１０９の傾きに使用し、各レーザ発光部の位置決めを行う。
【００３４】
以上のように、フォーカス／トラッキング制御部１０６は、レーザ発光部１０４及びレーザ波形確認用レーザ発光部１０８の動作制御に基づいて、データ消去後の領域のデータ波形を読み取るレーザ波形確認用レーザ発光部１０９の位置決め等の動作制御を行う再生信号波形読取制御手段として機能する。なお、フォーカス／トラッキング制御部１０６は、レーザ発光部１０４の動作制御に基づいて、各レーザ波形確認用レーザ発光部１０８，１０９の動作を制御してもよい。
【００３５】
光ピックアップ駆動部１０７は、光ピックアップ（レーザ発光部１０４並びにデータ波形確認用レーザ発光部１０８並びにデータ波形確認用レーザ発光部１０９並びにレーザ制御部１０５並びにレーザ制御部１１０並びにフォーカストラッキング制御部１０６等）を移動させる台車であり、フォーカス／トラッキング制御部１０６から指定された位置へ移動する際に使用される。
【００３６】
データ波形確認用レーザ発光部１０８（第一の再生信号波形読取手段、再生信号波形読取手段）は、ＬＤ（レーザーダイオード）並びに出力されるレーザ収束の為のレンズ等であり、データ消去前の領域に対する、位置決め、データ波形の読み取り時に使用される。データ波形確認用レーザ発光部１０９は、ＬＤ（レーザーダイオード）並びに出力されるレーザ収束の為のレンズ等であり、データ消去後の領域に対する、位置決め、データ波形の読みとり時に使用される（第二の再生信号波形読取手段、再生信号波形読取手段）。レーザ制御部１１０は、データ波形確認用レーザ発光部１０８並びにデータ波形確認用レーザ発光部１０９を制御する制御回路であり、レーザの出力制御やＯＮ／ＯＦＦの制御等を行う際に使用される。そして、上記データ波形確認用レーザ発光部１０８にてデータ消去前に読み取ったレーザ波形の一例を図１３（ａ）に示し、データ波形確認用レーザ発光部１０９にてデータ消去後に読み取ったレーザ波形の一例を図１３（ｂ）に示す。これらの図に示すように、上書きあるいは２重書きによるデータ消去の前後では、そのデータ波形が異なる。
【００３７】
メディア格納部１１１は、メディア格納用トレイ並びにトレイ駆動部であり、メディア１００をドライブ部１０１へ投入／排出される際に使用される。モータ部１１２は、回転制御部１１３により回転制御可能なスピンドルモータ等のモータであり、メディアを回転させる際に使用される。回転制御部１１３は、モータ部１１２の制御回路であり、モータ部１１２が指定された回転数を保持できるよう制御する際に使用される。メディア排出ＳＷ１１４は、マイクロスイッチ等のスイッチであり、スタートＳＷ１１６が押下されるまでの間でメディアを排出する必要がある際に押下すると、メディアがメディア格納部１１１より排出される。動作モードＤＢ１１５は、動作モードと各動作モードに必要なパラメータが関連付けしてデータベース化されており、各動作モードで動作を行う際に使用される。なお、動作モードＤＢ１１５に記憶されているデータの詳細を図５に示すが、これについては後述する。
【００３８】
そして、ＣＰＵ１０２は、マイクロプロセッサ等で構成されている中央処理装置であり、上述したようにドライブ部１０１の制御を行い、上述したスイッチ等の制御を行うＣＰＵ１２１や各種制御部１０５，１０６，１１０等と協働して、メディアデータ消去装置１０の動作制御を行う。また、メモリ部１０３は、ＣＰＵ１０２が直接読み書きできるＲＡＭやＲＯＭなどの半導体記憶装置であり、データの上書き時や２重書き時のデータキャッシュやドライブ部１０１のドライブ制御パラメータ等の格納に使用される。
【００３９】
続いて、上述したドライブ部１０１に装備されたＣＰＵ１０２と、各スイッチや表示部等の制御を行うＣＰＵ１２１と、について詳述する。ここで、ドライブ部１０１のＣＰＵ１０２には、所定のプログラムが組み込まれることによって、メディア状態判別処理部１０２ａ、動作モード判別処理部１０２ｂ、データ消去処理部１０２ｃ、データ波形記憶処理部１０２ｄ、メディア排出処理部１０２ｅ、が構築されている。
【００４０】
メディア状態判別処理部１０２ａは、各スイッチや表示部等の制御を行うＣＰＵ１２１と協働して、まず、メディアがメディア格納部１１１に投入されると、メディアの種別を判別し、管理領域が読み込めない場合、又は未書き込みメディア又はリライタブルメディアであった場合、又はドライブの異常を発見した場合、メディアを排出し、状態表示部１２０へ結果を表示する。そして、メディアがライトワンスメディアでデータが書き込まれており、且つドライブ部１０１も正常であった場合、メディアの種別並びに管理領域並びに使用領域情報をメモリ１２２へ格納し、状態表示部１２０へメディアの上書き準備が完了した旨の表示を行う。
【００４１】
動作モード判別処理部１０２ｂは、各スイッチや表示部等の制御を行うＣＰＵ１２１と協働して、動作モード選択ＳＷ１１７が押下されたことを検知すると、動作モード表示部１１８のモード表示を変更する。そして、スタートＳＷ１１６が押下されると、動作モード表示部１１８に表示されている現在選択されている動作モードを判別し、指定された動作モード（管理領域の上書きモード、又は、管理領域並びに一部データ領域の上書きモード、又は、管理領域並びに全データ領域の上書きモード、又は、再上書きモード）でメディアの上書きを行うよう、データ消去処理部１０２ｃに指示する。
【００４２】
データ消去処理部１０２ｃは、「管理領域の上書きモード」が選択された場合には、まず、動作モードＤＢ１１５内のデータ上書きパターン情報を確認する。例えば、図５に示すように、予め設定されたいくつかの上書きパターンのうち１つが選択される。そして、他の制御部１０４，１０５，１１０等と協働して、選択された上書きパターンにて、投入されたメディアの管理領域の全面上書きを行う。このとき、データ波形記憶処理部１０２ｄ（再生信号波形読取手段）が、他の制御部１０４，１０５，１１０等と協働して、データ消去を行った領域に対してデータ波形確認用レーザ発光部１０８，１０９を用いてレーザビームを照射し、上書き前、及び、上書き後のデータ波形をそれぞれ読み取る。そして、読み取った各データ波形（再生信号波形）をデータ波形管理部１１９に送信して記憶する。その後、データ消去処理部１０２ｃ及びＣＰＵ１２１は、メディアを排出し、状態表示部１２０へ結果を表示する。なお、この「管理領域の上書きモード」では、データ格納領域に対するデータ消去は行われないが、短時間で実施可能である（例えば、約１分）。そして、通常のＯＳではメディアが投入されるとまず管理領域に対して自動的に読み取りを試み、メディアエラー等によりメディアは読み取れないため、重要なデータではないが、一般人にメディアを読まれたくない場合に使用するとよい。
【００４３】
また、データ消去処理部１０２ｃ（データ格納領域消去手段、管理領域消去手段）は、「管理領域並びに一部データ領域の上書きモード」が選択された場合には、まず、動作モードＤＢ１１５内の実施領域／データ上書きパターン／２重書きパターン／上書き回数／２重書き回数情報並びにメモリ１１８内の管理領域並びに使用領域情報を確認する。このとき、メディアのデータ格納領域のうち未使用領域に対してはデータを２重に書き込むため、例えば、図５の「２重書き（１回目）データパターン」に示すように予め設定されたいくつかの書込みパターンのうち１つが選択され、このパターンとは異なる他の書込みパターンであって「２重書き（２回目）データパターン」に示すように予め設定されたいくつかの書込みパターンのうち１つが選択される。つまり、異なる２つのデータ書込みパターンが選択される。また、データ格納領域のうち使用領域、及び、管理領域に対してはデータを上書きすればよいため、上述同様に、例えば、図５に示す予め設定されたいくつかの上書きパターンのうち１つがそれぞれ選択される。
【００４４】
その後、データ消去処理部１０２ｃは他の制御部１０４，１０５，１１０等と協働して、投入されたメディアの未使用領域へランダムにデータ２重書き位置を決定して、異なるデータパターンでデータの２重書きを行う。このとき、データ波形記憶処理部１０２ｄ（再生信号波形読取手段）が、他の制御部１０４，１０５，１１０等と協働して、データ消去（２重書き）を行った領域に対してデータ波形確認用レーザ発光部１０８，１０９を用いてレーザビームを照射し、上書き前（２重書き前）、及び、上書き後（２重書き後）のデータ波形をそれぞれ読み取り、読み取った各データ波形（再生信号波形）をデータ波形管理部１１９に送信して記憶する。また、データ格納領域の使用領域へは、ランダムにデータ上書き位置を決定してデータの上書きを行う。そして、上述同様に、データ波形記憶処理部１０２ｄ（再生信号波形読取手段）がデータ波形確認用レーザ発光部１０８，１０９を用いて、データ消去前後（上書き前後）のデータ波形をそれぞれ読み取り、読み取った各データ波形（再生信号波形）をデータ波形管理部１１９に送信して記憶する。そして、上記のように、データ格納領域に対するデータ消去が終了した後に、管理領域の全面上書きを実行する。なお、このときの動作は、上述した「管理領域の上書きモード」時の動作を同様であり、データ消去前後にデータ波形が読み取られ、データ波形管理部１１９へ送信される。その後、メディア排出処理部１０２ｅからの指令によりメディアを排出し、状態表示部１１６へ結果を表示する。
【００４５】
なお、上記「管理領域並びに一部データ領域の上書きモード」は、完全にデータ格納領域に対するデータ消去は行われないが、各領域のトラックが断続的に上書きあるいは２重書きされるため、ファイルの一部が消去される。このため、例えばメディア上の物理位置に連続して大きなファイルが書き込まれていた場合には有効であり、セキュリティが確保されうる。そして、実施時間も短時間で済むため（例えば、約３分）、多少重要なデータも含まれるが破棄ルートが決まっている場合に使用するとよい。
【００４６】
また、データ消去処理部１０２ｃ（データ格納領域消去手段、管理領域消去手段）は、「管理領域並びに全データ領域の上書きモード」が選択された場合には、まず、上述同様に、動作モードＤＢ１１５内のデータを参照して、メディアのデータ格納領域のうち未使用領域に対して行う２重に書き込み時に使用される異なる２つのデータパターンが選択され、データ格納領域のうち使用領域及び管理領域に対して行う上書き時に使用される１つのデータパターンがそれぞれ選択される。その後、データ消去処理部１０２ｃは他の制御部１０４，１０５，１１０等と協働して、投入されたメディアに対するデータ消去を行う。具体的には、まず、データ格納領域の全未使用領域に対して、選択された２つのデータパターンで順番にデータの２重書きを行う。このとき、データ波形記憶処理部１０２ｄ（再生信号波形読取手段）が、他の制御部１０４，１０５，１１０等と協働して、データ消去（２重書き）を行った領域に対してデータ波形確認用レーザ発光部１０８，１０９を用いてレーザビームを照射し、上書き前（２重書き前）、及び、上書き後（２重書き後）のデータ波形をそれぞれ読み取り、読み取った各データ波形（再生信号波形）をデータ波形管理部１１９に送信して記憶する。また、データ格納領域の全使用領域へは、選択されたデータパターンにてデータの上書きを行う。このとき、上述同様に、データ波形記憶処理部１０２ｄ（再生信号波形読取手段）がデータ波形確認用レーザ発光部１０８，１０９を用いて、データ消去前後（上書き前後）のデータ波形をそれぞれ読み取り、読み取った各データ波形（再生信号波形）をデータ波形管理部１１９に送信して記憶する。そして、上記のように、データ格納領域に対するデータ消去が終了した後に、管理領域の全面上書きを実行する。このとき、上述同様に、データ消去前後のデータ波形も読み取られ、データ波形管理部１１９へ送信される。その後、メディアを排出し、状態表示部１１６へ結果を表示する。
【００４７】
なお、上記「管理領域並びに全データ領域の上書きモード」は、データ格納領域の未使用領域／使用領域、及び、管理領域の全ての領域が２重書きされた状態でデータ消去が行われるため、実施時間が長時間（例えば、約６分）であるが、セキュリティが高く、重要なデータが記録されたメディアに対して使用するとよい。
【００４８】
以上のように、上記「管理領域並びに一部データ領域の上書きモード」及び「管理領域並びに全データ領域の上書きモード」の場合には、例えば、図１１（ａ），（ｂ）に示すように、ディスク１００の外周側から内周側に向かって上書きあるいは２重書きを行い、これにより、データ格納領域に対してデータを上書きあるいは２重書きすることによりデータ消去を行った後に、管理領域に対してデータを上書きしてデータ消去を行っている。このため、停電等によりデータ格納領域のデータ消去が中断された場合であっても、かかるメディアの管理領域を読み取ることができ、メディアの認識が可能であることから、当該メディアに対して継続してデータ消去を実施することが可能となる。
【００４９】
また、データ消去処理部１０２ｃは、「再上書きモード」が選択された場合には、まず、上述同様に、動作モードＤＢ１１５内のデータを参照して、メディアのデータ格納領域のうち未使用領域に対して行う２重に書き込み時に使用される異なる２つのデータパターンが選択され、データ格納領域のうち使用領域及び管理領域に対して行う上書き時に使用される１つのデータパターンが選択される。その後、投入されたメディアの管理領域に全面上書きを行い、上述同様に、データ波形管理部１１９へデータ消去前後のデータ波形を送信する。その後、全使用領域データの上書きを行った後に、データ波形管理部１１９へデータ消去前後のデータ波形を送信し、全未使用領域へ違うデータパターンでデータの２重書きを行った後に、さらに、データ波形管理部１１９へデータ消去前後のデータ波形を送信する。つまり、メディアに対するデータの上書き及び２重書きによるデータ消去順序は、図１２（ｂ）に示すように、上述した順序と逆になる。その後、メディアを排出し、状態表示部１１６へ結果を表示するという順序で消去作業を行う。なお、各消去作業中にデータ波形確認用レーザ発光部１０８により２重書きが検出された場合は、その時点で作業を終了し、メディアを排出後に状態表示部１１６へ結果を表示する。従って、データ波形を読み取ると同時に、常時、読み取ったデータ波形に基づいて、データ波形管理部１１９に接続された外部ＰＣなどで、２重書きが否かの確認処理が実施され、その結果が通知される。
【００５０】
なお、上記「再上書きモード」は、データ格納領域への上書き又は２重書きの途中で停電又は何らかの異常等によりドライブが停止した場合に（例えば、図１２（ａ）参照）、データ消去のリトライとして実施されるとよい。
【００５１】
［動作］
次に、上記構成のメディアデータ消去装置の動作を、図６乃至図１０のフローチャートを参照して説明する。図６は、メディアデータ消去装置の動作モード設定時の動作について説明し、図７乃至図１０は、各モードによるデータ消去動作を説明する。
【００５２】
まず、操作者が動作モード選択ＳＷ１１７を押下すると、動作モード表示部１１８の動作モードが変更され、必要な動作モードが選択される（ステップＡ１）。そして、操作者によりメディアが投入されると（ステップＡ２：Ｙｅｓ）、メディアを判別し（ステップＡ３）、管理領域が読み込み可能か確認し、読み込み不可能な場合（２重書きされている場合）（ステップＡ４：Ｎｏ）や、未書き込みメディア（管理領域が未書き込みのメディア）又はリライタブルメディア（ＣＤ−ＲＷ，ＤＶＤ±ＲＷ，ＤＶＤ−ＲＡＭ，ＢＤ−ＲＥ等の書き換え可能媒体）であった場合（ステップＡ５：Ｙｅｓ）、又はドライブの異常を検知した場合（ステップＡ６：Ｎｏ）には、メディアを排出し（ステップＡ７）、状態表示部１２０へ結果を表示する（ステップＡ８）。例えば、管理領域が読み取り不可の場合：”ＡｌｒｅａｄｙＯｖｅｒＷｒｉｔｅ”，未書き込みメディアの場合：”ＮｅｗＤｉｓｃ”，リライタブルメディアの場合：”ＤｉｓｃＴｙｐｅＥｒｒｏｒ”，ドライブ異常の場合：”SenseKey/SenseCode”等と表示する。
【００５３】
一方、メディアデータ消去装置１０は、管理領域が読み取り可能で、書き込み済みのライトワンスメディアが投入され、ドライブが正常であった場合は（ステップＡ４：Ｙｅｓ，ステップＡ５：Ｎｏ，ステップＡ６：Ｙｅｓ）、メディアの種別／管理領域／使用領域情報をメモリ１２２へ一時格納し（ステップＡ９）、状態表示部１２０へメディアの上書き／２重書き準備完了を表示する（ステップＡ１０）。例えば、”ＤｉｓｃＲｅａｄｙ”等と表示する。
【００５４】
続いて、メディアデータ消去装置１０は、状態表示部１２０へメディアの上書き／２重書き準備完了を表示後、操作者にてスタートＳＷ１１６が押下されると（ステップＡ１１：Ｙｅｓ）、ステップ１で選択された動作モードを判別し（ステップＡ１２）、ＣＰＵ１２１よりドライブ部１０１へ該当する動作モードの実行命令並びにその動作モードで必要となるメモリ１２２の内容（管理領域の上書きモードの場合：メディアの種別，管理領域並びに一部データ領域の上書きモードの場合：メディアの種別／管理領域／使用領域情報，管理領域並びに全データ領域の上書きモードの場合：メディアの種別／使用領域情報，再上書きモードの場合：メディアの種別／使用領域情報）の送信を行う（ステップＡ１３）。そして、メディアデータ消去装置は、各モードに応じたデータ消去を実行する（ステップＡ１４，Ａ２０，Ａ３０，Ｂ１）。
【００５５】
そして、メディアデータ消去装置１０は、動作モードが管理領域の上書きモードであった場合には（ステップＡ１４、図７に進む）、動作モードＤＢ１１５より管理領域の上書きモード時の上書きパターン情報を読み出し（ステップＡ１５）、投入されたメディアの管理領域の全面上書きを行う（ステップＡ１６）。このとき、上書きの前後に、データ波形確認用レーザ発光部１０８（データ上書き前のデータ波形観測）並びにデータ波形確認用レーザ発光部１０９（データ上書き後のデータ波形観測）にてデータ消去前後のデータ波形を読み取り、この読み取ったデータ波形情報をデータ波形管理部１１９へ送信する（ステップＡ１７）。その後、メディアを排出し（ステップＡ１８）、状態表示部１２０へ動作結果を表示し（ステップＡ１９：例えば、”ＮｏｒｍａｌＥｎｄ”と表示する）、終了する。
【００５６】
また、メディアデータ消去装置１０は、動作モードが管理領域並びに一部データ領域の上書きモードであった場合には（ステップＡ２０、図８に進む）、まず、動作モードＤＢ１１５より管理領域及び使用領域への上書きパターン情報、並びに未使用領域への２重書き時の２回分のデータパターン情報、並びに使用領域及び未使用領域への各領域毎の書き込み回数（ドライブの書き込み速度によるが、一例として、使用領域又は未使用領域を全体の容量と比較することにより使用率又は未使用率を算出し、使用率×５０００カ所又は未使用率×２５００カ所で算出を行う）を読み出す（ステップＡ２１）。
【００５７】
その後、投入されたメディアの使用領域情報を基に未使用領域へ指定回数分ランダムにデータの２重書きを行う（ステップＡ２２）。このとき、２重書きの前後に、データ波形確認用レーザ発光部１０８並びにデータ波形確認用レーザ発光部１０９にてデータ消去前後のデータ波形を読み取り、読み取ったデータ波形情報をデータ波形管理部１１９へ送信する（ステップＡ２３）。続いて、データ格納領域の使用領域へ指定回数分ランダムにデータの上書きを行う（ステップＡ２４）。このとき、上書きの前後にデータ波形確認用レーザ発光部１０８並びにデータ波形確認用レーザ発光部１０９にてデータ消去前後のデータ波形を読み取り、読み取ったデータ波形情報をデータ波形管理部１１９へ送信する（ステップＡ２５）。
【００５８】
そして、最後に、メディアデータ消去装置は、管理領域の全面上書きを行う（ステップＡ２６）。このとき、上書きの前後にデータ波形確認用レーザ発光部１０８並びにデータ波形確認用レーザ発光部１０９にてデータ消去前後のデータ波形を読み取り、読み取ったデータ波形情報をデータ波形管理部１１９へ送信する（ステップＡ２７）。その後、メディアを排出（ステップＡ２８）した上で、状態表示部１２０へ動作結果を表示し（ステップＡ２９：例えば、”ＮｏｒｍａｌＥｎｄ”と表示する）、終了する。
【００５９】
また、メディアデータ消去装置１０は、動作モードが管理領域並びに全データ領域の上書きモードであった場合には（ステップＡ３０、図９に進む）、まず、上述同様に、動作モードＤＢ１１５より管理領域及び使用領域への上書きパターン情報、並びに未使用領域への２重書き時の２回分のデータパターン情報を読み出す（ステップＡ３１）。
【００６０】
その後、投入されたメディアの使用領域情報を基に未使用領域へデータの全面２重書きを行う（ステップＡ３２）。このとき、２重書きの前後にデータ波形確認用レーザ発光部１０８並びにデータ波形確認用レーザ発光部１０９にてデータ消去前後のデータ波形を読み取り、読み取ったデータ波形情報をデータ波形管理部１１９へ送信する（ステップＡ３３）。その後、使用領域へデータの全面上書きを行う（ステップＡ３４）。このとき、上書きの前後にデータ波形確認用レーザ発光部１０８並びにデータ波形確認用レーザ発光部１０９にてデータ消去前後のデータ波形を読み取り、読み取ったデータ波形情報をデータ波形管理部１１９へ送信する（ステップＡ３５）。
【００６１】
そして、最後に、管理領域の全面上書きを行う（ステップＡ３６）。このとき、上書きの前後にデータ波形確認用レーザ発光部１０８並びにデータ波形確認用レーザ発光部１０９にてデータ消去前後のデータ波形を読み取り、読み取ったデータ波形情報をデータ波形管理部１１９へ送信する（ステップＡ３７）。その後、メディアを排出（ステップＡ３８）した上で、状態表示部１２０へ動作結果を表示し（ステップＡ３９：例えば、”ＮｏｒｍａｌＥｎｄ”とする）、終了する。
【００６２】
また、メディアデータ消去装置１０は、動作モードが再上書きモードであった場合には（ステップＢ１、図１０に進む）、まず、動作モードＤＢ１１５より管理領域及び使用領域への上書きパターン情報、並びに未使用領域への２重書き時の２回分のデータパターン情報を読み出す（ステップＢ２）。その後、管理領域の全面上書きを行う（ステップＢ３）。そして、その上書き作業中に、データ波形確認用レーザ発光部１０８で２重書きを検出した場合には（ステップＢ４：Ｙｅｓ）、メディアを排出し（ステップＢ１１）、状態表示部１２０へ動作結果を表示し（ステップＢ１２：例えば、”ＮｏｒｍａｌＥｎｄ”等とする）、終了する。また、ステップＢ４で、管理領域からデータ波形確認用レーザ発光部１０８で２重書きを未検出の場合には（ステップＢ４：Ｎｏ）、データ波形確認用レーザ発光部１０８並びにデータ波形確認用レーザ発光部１０９にて観測したデータ消去前後（上書き前後）のデータ波形情報をデータ波形管理部１１９へ送信する（ステップＢ５）。
【００６３】
続いて、データ格納領域の使用領域へデータの全面上書きを行う（ステップＢ６）。このとき、その上書き作業中に、データ波形確認用レーザ発光部１０８で２重書きを検出した場合には（ステップＢ７：Ｙｅｓ）、上述同様に、ステップＢ１１並びにステップＢ１２を実施する。さらに、ステップＢ７で、データ管理領域の未使用領域からデータ波形確認用レーザ発光部１０８で２重書きを未検出の場合には（ステップＢ７：Ｎｏ）、データ波形確認用レーザ発光部１０８並びにデータ波形確認用レーザ発光部１０９にて観測したデータ消去前後のデータ波形情報をデータ波形管理部１１９へ送信する（ステップＢ８）。次に未使用領域へデータの全面２重書きを行う（ステップＢ９）。このとき、その２重書き作業中に、データ波形確認用レーザ発光部１０８で２重書きを検出した場合には（ステップＢ１０：Ｙｅｓ）、上述同様に、ステップＢ１１並びにステップＢ１２を実施する。一方、ステップＢ１０でデータ波形確認用レーザ発光部１０８で２重書きを未検出の場合には（ステップＢ１０：Ｎｏ）、データ波形確認用レーザ発光部１０８並びにデータ波形確認用レーザ発光部１０９にて観測したデータ消去前後のデータ波形情報をデータ波形管理部１１９へ送信する（ステップＢ１３）。これにより、全データの消去が完了し（ステップＢ１４）、メディアを排出（ステップＢ１５）した上で、状態表示部１２０へ動作結果を表示し（ステップＢ１６：例えば、”ＮｏｒｍａｌＥｎｄ”等とする）、終了する。
【００６４】
なお、以上の動作を参照すると、図７に示した「管理領域の上書きモード」では、ディスクの中心部分のみを上書きすることとなる。また、図８，９に示した「管理領域並びに一部データ領域の上書きモード」及び「管理領域並びに全データ領域の上書きモード」では、図１１（ａ），（ｂ）に示すように、ディスクの外周側から内周側に向かって２重書きが行われ、データ消去が実行される。また、図１０に示した「再上書きモード」では、図１２（ａ）に示すように、上記「管理領域並びに全データ領域の上書きモード」などでデータ消去が途中で終了してしまった場合に実行され、図１２（ｂ）に示すように、ディスク内周側の管理領域から外周側に向かって２重書きが行われ、データ消去が実行される。
【００６５】
以上より、本発明によると、上記「管理領域並びに一部データ領域の上書きモード」及び「管理領域並びに全データ領域の上書きモード」に示すように、データ格納領域へデータを上書き完了後に、管理領域（メディア認識領域）の上書きを行うため、例えば、停電等によりデータ領域の上書きが中断された場合もメディアの管理領域を読みとることができるため、メディアを認識可能であり、例えば、上記「再上書きモード」を利用して、継続して上書きによる消去を行うことができる。従って、メディアに対するデータ消去の確実性の向上を図ることができ、セキュリティの向上を図ることができる。
【００６６】
そして、データ格納領域のデータ消去に関しては、その一部の領域に対して行うことで、簡易な方法でデータ消去を実行することができ、消去時間の短縮化を図ることができる。一方で、全ての領域を２重書きすることで、データの読み取りをさらに困難にしてさらなるセキュリティの向上を図ることもできる。さらに、データ格納領域の使用領域に対しては上書きし、未使用領域に対しては２重に書き込むことで、未使用領域からデータ消去用の上書きパターンを読み取ることが不可能となるため、かかる上書きパターンを利用して使用領域のデータが読み取られることを抑制することができ、さらなるセキュリティの向上を図ることができる。
【００６７】
また、データの上書き及び２重書きによるデータ消去の前後に、当該データ消去を行う領域におけるデータ波形（再生信号波形）をそれぞれ読み取り、当該読みデータ消去前後におけるデータ波形をそれぞれ記憶することで、図１３（ａ），（ｂ）に示すようにデータ波形を外部ＰＣ等へ出力することができ、データの消去を容易に確認することができる。さらには、出力した波形データを消去証明として加工・表示・印刷することが可能である。また、通常、データ消去後の領域をアクセスする際、レーザの焦点／トラック位置決めができないが、本発明では、消去しつつデータ波形を観測するため、データ書込み用のレーザ発光部１０４、あるいは、データ消去前のデータ波形読み取り用のレーザ発光部１０８の調整結果の値を使用することにより、データ消去後の領域をアクセスするレーザ発光部１０９の焦点／トラック位置決めを行うことができる。
【産業上の利用可能性】
【００６８】
本発明は、会社などで不要となったメディアを破棄する前にデータ消去を行う装置として利用することができ、産業上の利用可能性を有する。
【図面の簡単な説明】
【００６９】
【図１】メディアデータ消去装置の外観を示す図である。
【図２】メディアデータ消去装置の内部構成の一部を示す図である。
【図３】メディアデータ消去装置の構成を示すブロック図である。
【図４】図３に開示したドライブ部に装備されたＣＰＵの構成を示す機能ブロック図である。
【図５】図３に開示したドライブ部に装備された動作モードＤＢ内のデータ内容を示す図である。
【図６】メディアデータ消去装置の動作を示すフローチャートである。
【図７】メディアデータ消去装置の動作を示すフローチャートであり、管理領域上書きモード時の動作を示す。
【図８】メディアデータ消去装置の動作を示すフローチャートであり、管理領域並びに一部データ領域の上書きモード時の動作を示す。
【図９】メディアデータ消去装置の動作を示すフローチャートであり、管理領域並びに全データ領域の上書きモード時の動作を示す。
【図１０】メディアデータ消去装置の動作を示すフローチャートであり、再上書きモード時の動作を示す。
【図１１】メディアに対する上書き／２重書きの順序を示す図であり、再上書きモード以外のモード時の順序を示す。
【図１２】メディアに対する上書き／２重書きの順序を示す図であり、再上書きモード時の順序を示す。
【図１３】メディアに対する上書き／２重書き前後に読み取ったデータ波形の例を示す図である。
【符号の説明】
【００７０】
１０  メディアデータ消去装置
１００  メディア
１０１  ドライブ部
１０２，１２１  ＣＰＵ
１０３，１２２  メモリ
１０４  レーザ発光部
１０５  レーザ制御部
１０６  フォーカス／トラッキング制御部
１０７  光ピックアップ駆動部
１０８，１０９  データ波形確認用レーザ発光部
１１０  レーザ制御部
１１１  メディア格納部
１１２  モータ部
１１３  回転制御部
１１４  メディア排出ＳＷ
１１５  動作モードＤＢ
１１６  スタートＳＷ
１１７  動作モード選択ＳＷ
１１８  動作モード表示部
１１９  データ波形管理部
１２０  状態表示部
１２３  電源部
１０２ａ  メディア状態判別処理部
１０２ｂ  動作モード判別処理部
１０２ｃ  データ消去処理部
１０２ｄ  データ波形記憶処理部
１０２ｅ  メディア排出処理部
【図１】
2008084367.tif 000003
【図２】
2008084367.tif 000004
【図３】
2008084367.tif 000005
【図４】
2008084367.tif 000006
【図５】
2008084367.tif 000007
【図６】
2008084367.tif 000008
【図７】
2008084367.tif 000009
【図８】
2008084367.tif 000010
【図９】
2008084367.tif 000011
【図１０】
2008084367.tif 000012
【図１１】
2008084367.tif 000013
【図１２】
2008084367.tif 000014
【図１３】
2008084367.tif 000015